(57)【特許請求の範囲】
【請求項１】
ケーブルコネクタ（２０３）に接続されるように適合された複数のポート（３０３）を有する配線フレームワーク（１０２）であって、前記ポート（３０３）の少なくとも一部分に対応して、取り付け開口部（３０１）が前記配線フレームワーク上に配置されており、前記取り付け開口部（３０１）は前記ポート（３０３）の下方部分又は上方部分に配置されていると共に、前記ポート（３０３）から特定の距離をおいて離間配置されており、前記ケーブルコネクタ（２０３）に、前記ケーブルコネクタ（２０３）に取り外し可能に固定されたジャケット（２０１）が設けられており、第１の通信ユニットが前記ジャケット（２０１）の底部プレート（２０１４）に固定されており、前記底部プレートは、前記ポート（３０３）の前記少なくとも一部分のそれぞれにおいて前記取り付け開口部（３０１）を貫通し、前記ポート（３０３）の前記少なくとも一部分に対応して、前記ケーブルコネクタ（２０３）と、前記ポート（３０３）の前記少なくとも一部分のそれぞれとの相互接続状態を指示するように適合されたインジケータ素子（３０４）が前記配線フレームワーク（１０２）上に配置されている、配線フレームワーク（１０２）と、
前記対応するケーブルコネクタ（２０３）にそれぞれ取り外し可能に固定された複数の第１の通信ユニット（２０２）であって、前記ケーブルコネクタ（２０３）が前記ポート（３０３）内に挿入されると、前記第１の通信ユニット（２０２）が前記ポート（３０３）の外部に位置付けられるように構成された、複数の第１の通信ユニット（２０２）と、
複数の第２の通信ユニット（４０１）であって、前記第２の通信ユニット（４０１）の少なくとも一部分は前記ポート（３０３）のうちの１つにそれぞれ対応し、前記第２の通信ユニット（４０１）及び前記対応する第１の通信ユニット（２０２）は、非接触方式で互いに通信するように構成されている、複数の第２の通信ユニット（４０１）と、
前記第１の通信ユニット（２０２）と前記第２の通信ユニット（４０１）との少なくとも一部分の間の通信を制御し、読み取り、書き込むように構成された１つ以上の制御モジュール（６０１）と、を備える、ケーブリング管理システム。
【請求項２】
前記制御モジュール（６０１）及び前記第２の通信ユニット（４０１）が取り付けプレート（６００）上に配置されており、前記取り付けプレートは前記配線フレームワークに取り外し可能に固定されている、請求項１に記載のシステム。
【請求項３】
前記制御モジュール（６０１）が、
前記複数の第２の通信ユニットに接続されており、前記第１の通信ユニットから情報を読み取り、及び／又は前記第１の通信ユニット内に情報を書き込むように構成された読み取り−書き込み回路（６０４）と、
前記読み取り−書き込み回路に接続されており、前記第２の通信ユニットと前記第１の通信ユニットとの間の通信を制御し、前記第１の通信ユニットのための前記読み取り−書き込み回路による情報の読み取り及び書き込みを制御するように構成された制御回路（６０５）と、を備え、
前記制御回路（６０５）が、前記インジケータ素子（３０４）の有効化及び無効化を制御するように更に構成されている、請求項１に記載のシステム。
【請求項４】
前記第１の通信ユニット（２０２）が無線周波数識別タグであり、前記第２の通信ユニット（４０１）が無線周波数識別アンテナである、請求項１に記載のシステム。
【請求項５】
前記第２の通信ユニット（４０１）及び／又は前記第１の通信ユニット（２０２）に信号増強素子（４０３）が更に設けられている、請求項１又は４に記載のシステム。
【請求項６】
前記信号増強素子（４０３）がフェライト層を備含む、請求項５に記載のシステム。
【発明の詳細な説明】
【技術分野】
【０００１】
本発明はケーブリング管理技術の分野に関し、特に、配線フレームワークにおいて用いるためのアップグレード可能ケーブリング管理システム、配線フレームワーク、及びケーブルコネクタに関する。
【背景技術】
【０００２】
ブロードバンドネットワークの発展と普及に伴い、ネットワーク管理者は大規模又は超大規模ネットワークケーブリングの管理にさらされている。現在、通信機械室及びデータセンターのような適用シナリオでは、配線フレームワークはクロス接続モード及び直接接続モードを主に採用している。クロス接続モードは、スイッチからエンドユーザまでのリンク接続を実施するために、２つの配線フレームワークが用いられる接続モードを指す。このモードでは、一方の配線フレームワークの後端部におけるポートはスイッチ上の対応するポートにそれぞれ接続されており、他方の配線フレームワークの後端部におけるポートはエンドユーザの対応するポートにそれぞれ接続されており、２つの配線フレームワークは、リンク全体の接続を実施するためにジャンパ方式を採用している。直接接続モードは、スイッチからエンドユーザへのリンク接続を実施するために、１つの配線フレームワークが採用される接続モードを指す。このモードでは、ジャンパの一方の端部はスイッチに直接接続されており、ジャンパの他方の端部は配線フレームワークの前端部に接続されており、その後、配線フレームワークの後端部はエンドユーザに接続されている。しかし、どちらのモードにせよ、ケーブリングシステムの管理はネットワークの発展に後れを取っている。
【０００３】
従来のケーブリング管理システムでは、ポート情報が紙に書かれ、その後、バックグラウンド管理コンピュータ内に手動で記録される必要がある。このプロセスの間に、人間の間違いによって実際の接続がバックグラウンド管理コンピュータ内に記録された情報と食い違うことが非常によくある。加えて、通信機械室及びデータセンターのような適用シナリオでは、ケーブリングは非常に混沌とし、それゆえ、通信機械室内のポートの使用率を正確に知ることは困難である。例えば、どのポートが使用中であり、どのポートが使用されていないのかを把握することは困難である。特に、ケーブリング全体が変更される際には、スイッチと配線フレームワークとの間のネットワーク接続が変更される必要があり、このプロセスの間に、間違いが容易に生じ得る。
【０００４】
上述の技術的問題を解決するために、インテリジェントケーブリング管理に応える技術的解決策が提案されている。
【０００５】
１つの現在広く行われている解決策は、接触型のインテリジェントケーブリング管理システムである。この技術的解決策では、専用の９ピン若しくは１０ピンケーブル又はアダプタが用いられる。しかし、このような専用のケーブル及びアダプタは、ユーザにとって交換のコスト及び難しさを増大させる。
【０００６】
代替的に、無線周波数識別（radio frequency identification、ＲＦＩＤ）技術を用いる非接触式の技術的解決策が存在する。しかし、ＲＦＩＤ技術に基づくほとんどの技術的解決策では、ＲＦＩＤタグはジャンパのコネクタ内に直接配置されている。これらの技術的解決策では、ＲＦＩＤタグが損傷を受け、新しいものと交換されることが必要になった場合には、タグを備えるケーブルも交換される必要があり、これにより、コストが増大し、ケーブル資源の浪費が生じる。ＲＦＩＤ技術が金属遮蔽アダプタ内で用いられる場合には、コネクタ内に配置されたタグからのＲＦＩＤ信号が金属によって遮蔽されており、ＲＦＩＤリーダとＲＦＩＤタグとの間の通信障害を生じさせ得るため、更なる課題が生じる。
【０００７】
加えて、従来のインテリジェントケーブリング管理システムは概して、能動的な制御モジュールと受動的な配線フレームワークとが統合された設計を採用している。そのため、ユーザが、初期設計段階ではインテリジェントケーブリング管理の使用を計画していないが、システムのアップグレードとともにインテリジェントケーブリング管理システムへ切り替えたいと望む場合には、初期システムに基づくアップグレードは不可能になり得る。この場合にシステムをアップグレードする唯一の方法は、ネットワーク接続を中断し、その後、通信機械室内の全ての配線フレームワークを交換することであろう。これはコストを増大させるのみでなく、使用にも不自由を生じさせる。
【０００８】
上述のことに鑑みて、改善されたケーブリング管理システム、及びアップグレード可能配線フレームワークが望まれる。
【発明の概要】
【０００９】
本発明は、関連技術における少なくとも１つ以上の技術的問題を克服又は低減することに向けられている。
【００１０】
本発明の少なくとも１つの目的は、配線フレームワーク上のポートにおけるケーブルコネクタの通信ユニットを、ネットワーク接続を中断することなく、追加、低減、及び交換する能力を有する、改善されたケーブリング管理システムを提供することである。
【００１１】
本発明の別の目的は、金属アダプタによる信号遮蔽を受けるケーブルコネクタ内の通信ユニットの関連技術における欠点を克服する能力を有する、改善されたケーブリング管理システムを提供することである。
【００１２】
本発明の更なる目的は、通信信号が高信頼性で安定し、維持コストが低く、取り付け及び使用の勝手がよい、改善されたケーブリング管理システムを提供することである。
【００１３】
本発明の更に別の目的は、ケーブルコネクタ内の通信ユニットが金属アダプタによる信号遮蔽を受けるという関連技術における欠点を克服する能力を有する、ケーブルコネクタを提供することである。
【００１４】
本発明の別の目的は、配線フレームワーク上のポートにおけるケーブルコネクタの通信ユニットの、ネットワーク接続を中断することのない、追加、低減、及び交換の能力を有する、アップグレード可能配線フレームワークを提供することである。
【００１５】
本発明の更に別の目的は、ケーブルコネクタ内の通信ユニットが金属アダプタによる信号遮蔽を受けるという関連技術における欠点を克服する能力を有する、アップグレード可能配線フレームワークを提供することである。
【００１６】
本発明の更なる目的は、通信信号が高信頼性で安定し、維持コストが低く、取り付け及び使用の勝手がよい、アップグレード可能配線フレームワークを提供することである。
【００１７】
本発明の第１の態様によれば、ケーブルコネクタに接続されるように適合された複数のポートを有する配線フレームワークであって、ポートの少なくとも一部分に対応して、ケーブルコネクタとの対応するポートの相互接続状態を指示するように適合されたインジケータ素子が配線フレームワーク上に配置されている、配線フレームワークと、対応するケーブルコネクタにそれぞれ取り外し可能に固定された複数の第１の通信ユニットであって、ケーブルコネクタがポート内に挿入されると、第１の通信ユニットがポートの外部に位置付けられるように構成された、複数の第１の通信ユニットと、複数の第２の通信ユニットであって、第２の通信ユニットの少なくとも一部分はポートのうちの１つにそれぞれ対応し、第２の通信ユニット及び対応する第１の通信ユニットは、非接触方式で互いに通信するように構成されている、複数の第２の通信ユニットと、第１の通信ユニットと第２の通信ユニットとの少なくとも一部分の間の通信を制御し、読み取り、書き込むように構成された１つ以上の制御モジュールと、を備える、ケーブリング管理システムが提供される。
【００１８】
更に、ポートの少なくとも一部分に対応して、取り付け開口部は配線フレームワーク上に配置されており、取り付け開口部はポートの下方部分又は上方部分に配置されていると共に、ポートから特定の距離をおいて離間配置されている。
【００１９】
具体的には、ケーブルコネクタに、このケーブルコネクタに取り外し可能に固定されたジャケットが設けられており、第１の通信ユニットはジャケットの底部プレートに固定されており、底部プレートは、対応するポートにおける取り付け開口部を貫通する。より具体的には、ジャケットは、受容構造体であって、ケーブルコネクタが受容構造体内に少なくとも部分的に受容されるように構成された、受容構造体を備える。
【００２０】
いくつかの特定の実施形態では、両端部においてケーブルコネクタを有するケーブルに対して、１対の取り外し可能に接続されたジャケットが提供されており、１対のジャケットに、互いに嵌合する１対の第１の通信ユニットがそれぞれ設けられている。例えば、１対のジャケットのうちの一方に、１対のジャケットのうちの他方の柱状部分及び／又は柱状開口部内に挿入可能である柱状開口部及び／又は柱状部分が設けられている。
【００２１】
更に、制御モジュールは読み取り−書き込み回路及び制御回路を備え、読み取り−書き込み回路は複数の第２の通信ユニットに接続されており、第１の通信ユニットから情報を読み取り、及び／又は第１の通信ユニット内に情報を書き込むように構成されており、制御回路は読み取り−書き込み回路に接続されており、第２の通信ユニットと第１の通信ユニットとの間の通信を制御し、第１の通信ユニットのための読み取り−書き込み回路による情報の読み取り及び書き込みを制御するように構成されている。
【００２２】
具体的には、制御モジュール及び第２の通信ユニットは配線フレームワークに取り外し可能に固定されている。いくつかの特定の実施形態では、制御モジュール及び第２の通信ユニットは取り付けプレート上に配置されており、取り付けプレートは配線フレームワークに取り外し可能に固定されている。いくつかの特定の実施形態では、制御回路は、インジケータ素子の有効化及び無効化を制御するように更に構成されている。
【００２３】
いくつかの特定の実施形態では、第１の通信ユニットは無線周波数識別タグであり、第２の通信ユニットは無線周波数識別アンテナである。好ましくは、第２の通信ユニット及び／又は第１の通信ユニットに信号増強素子が更に設けられている。例えば、信号増強素子はフェライト層を備える。
【００２４】
本発明の諸実施形態に係るケーブリング管理システムは制御ユニットを更に備えてもよく、制御ユニットは制御モジュールと通信し、制御モジュールの管理を実行するように構成されている。いくつかの特定の実施形態では、制御ユニットは、インジケータ素子及び制御モジュールに対して電力を供給するように更に構成されていてもよい。
【００２５】
本発明の諸実施形態に係るケーブリング管理システムは中央管理ユニットを更に備えてもよく、中央管理ユニットは、制御ユニットをネットワーク通信方式で制御するように構成されており、人間−コンピュータ対話機能を有する。
【００２６】
本発明の第２の態様によれば、本体及びジャケットを備えるケーブルコネクタであって、本体は、データ通信を実施するために配線フレームワーク上のポートと通信するように構成されており、ジャケットはケーブルコネクタの本体上に取り外し可能に取り付けられている、ケーブルコネクタが提供される。
【００２７】
いくつかの特定の実施形態では、ジャケットは、受容構造体、及び受容構造体と平行に配置された底部プレートを備え、受容構造体は、ケーブルコネクタの本体を受容構造体内に少なくとも部分的に受容するように構成されている。底部プレートに第１の通信ユニットが設けられており、第１の通信ユニットは無線周波数識別タグを備える。
【００２８】
いくつかの特定の実施形態では、両端部においてケーブルコネクタを有するケーブルに対して、１対の取り外し可能に接続されたジャケットが提供されており、１対のジャケットに、互いに嵌合する１対の第１の通信ユニットがそれぞれ設けられている。例えば、１対のジャケットのうちの一方に、１対のジャケットのうちの他方の柱状部分及び／又は柱状開口部内に挿入可能である柱状開口部及び／又は柱状部分が設けられている。
【００２９】
本発明の第３の態様によれば、アップグレード可能配線フレームワークが提供される。配線フレームワークは、ケーブルコネクタに接続されるように適合された複数のポートを有する。ポートの少なくとも一部分に対応して、取り付け開口部、及びケーブルコネクタとの対応するポートの相互接続状態を指示するように適合されたインジケータ素子が配線フレームワーク上に配置されており、取り付け開口部はポートの下方部分又は上方部分に配置されていると共に、ポートから特定の距離をおいて離間配置されている。
【００３０】
いくつかの特定の実施形態では、取り付け開口部は、対応するポートのジャケットに対応し、第１の通信ユニットを有する構造体の一部分を、取り付け開口部を貫通させるように適合されて、第１の通信ユニットはポートの外部に位置付けられる。
【００３１】
本発明の諸実施形態に係るアップグレード可能配線フレームワークは、取り付けプレート、並びに取り付けプレート上に配置された複数の第２の通信ユニット及び１つ以上の制御モジュールを更に備え、取り付けプレートは配線フレームワークに取り外し可能に固定されており、第２の通信ユニットの少なくとも一部分はポートのうちの１つにそれぞれ対応し、第２の通信ユニット及び対応する第１の通信ユニットは、非接触方式で互いに通信するように構成されており、制御モジュールは、第１の通信ユニットと第２の通信ユニットとの少なくとも一部分の間の通信を制御し、読み取り、書き込むように構成されている。
【００３２】
本発明の諸実施形態は少なくとも以下の技術的効果を達成する。
【００３３】
上述のことから分かるように、本発明の実施形態において提供されるインテリジェントケーブリング管理システム、ケーブルコネクタ、及びアップグレード可能配線フレームワークによれば、ユーザがケーブリングシステムの初期設置時に予算又は技術概念などの要因によって完全なインテリジェントケーブリング管理システムを採用しない場合には、ユーザは、一般のケーブル及びそれらのケーブルコネクタ、並びに、本発明の諸実施形態において提供されるインジケータ素子及び取り付け開口部を有する配線フレームワークを用い、従来のケーブリング管理を実施し得る。これはユーザに対してコストを効果的に低減し得る。インテリジェントケーブリング管理システムが将来において所望される場合には、ユーザは、第１の通信ユニット（無線周波数識別タグ）を有するジャケットを、配線フレームワークに接続されたケーブルコネクタに取り付け、それと同時に、第２の通信ユニット（無線周波数アンテナ）、読み取り−書き込み回路、及び制御回路を有する制御モジュールを、固定部材を介して配線フレームワークに固定して取り付けるだけでよい。それゆえ、ユーザは、ネットワーク接続の中断を生じさせることなく、配線フレームワークのアップグレードを実施し得る。加えて、管理及び制御は、周辺インテリジェント制御ユニット及び中央管理ユニットを用いることによって実施されてもよい。このように、従来の配線フレームワークは、本発明の実施形態に係るインテリジェントケーブリング管理システムへと、便利に、迅速に、確実に、且つ安定的にアップグレードされ得る。加えて、第１の通信ユニット（無線周波数識別タグ）が金属アダプタの外部に配置されているため、無線周波数信号は金属アダプタによって遮蔽されなくなり得る。更に、実際の必要に従って、無線周波数識別アンテナの読み取り−書き込み距離を増大させ、金属アダプタによって無線周波数信号に対して生じる影響を低減するために、フェライト材料で作製された信号増強素子が第２の通信ユニット（無線周波数識別アンテナ）又は第１の通信ユニット上に追加的に配置されてもよい。
【００３４】
したがって、本発明の諸実施形態において提供されるインテリジェントケーブリング管理システムは、紙の文書を必要とすることなく大量のデータ処理を実行する能力を有し、それゆえ、人の犯す誤りの発生率、及び作業量を効果的に低減する。加えて、本発明の実施形態において提供されるインテリジェントケーブリング管理システムはポートの状態を更に監視し、ポートの使用率についての統計値を収集してもよく、これにより、ポートを十分活用する。無許可の動作又は例外的な動作を検出した場合には、システムは、例外を禁止するための警告を生成してもよい。
【００３５】
本発明によって達成され得るその他の目的及びその他の技術的効果を、以下の特定の実施形態において、特定の実施形態の説明及び添付の図面を参照して説明する。
【図面の簡単な説明】
【００３６】
本発明の上述及びその他の目的、特徴、及び利点を、明確に、より理解しやすくするために、添付の図面及び特定の実施形態を参照して本発明を詳細に説明する。
【図１Ａ】本発明の一実施形態に係るケーブリング管理システムにおける配線フレームワークに関する３次元図及び正面図をそれぞれ例示的に示す。
【図１Ｂ】本発明の一実施形態に係るケーブリング管理システムにおける配線フレームワークに関する３次元図及び正面図をそれぞれ例示的に示す。
【図２Ａ】第１の通信ユニットが、本発明の一実施形態に係るケーブリング管理システムにおけるジャケットを介してケーブルコネクタ内に取り付けられるシナリオを示す概略構造図及び分解構造図をそれぞれ例示的に示す。
【図２Ｂ】第１の通信ユニットが、本発明の一実施形態に係るケーブリング管理システムにおけるジャケットを介してケーブルコネクタ内に取り付けられるシナリオを示す概略構造図及び分解構造図をそれぞれ例示的に示す。
【図３Ａ】ケーブルコネクタにおいて使用するためのジャケットの正面図及び３次元図、並びに本発明の一実施形態に係るケーブリング管理システムにおける１対のジャケットの状態図をそれぞれ例示的に示す。
【図３Ｂ】ケーブルコネクタにおいて使用するためのジャケットの正面図及び３次元図、並びに本発明の一実施形態に係るケーブリング管理システムにおける１対のジャケットの状態図をそれぞれ例示的に示す。
【図３Ｃ】ケーブルコネクタにおいて使用するためのジャケットの正面図及び３次元図、並びに本発明の一実施形態に係るケーブリング管理システムにおける１対のジャケットの状態図をそれぞれ例示的に示す。
【図４】本発明の一実施形態に係るケーブリング管理システムにおける配線フレームワーク内の１つのポートにおける第１の通信ユニットと第２の通信ユニットとの間の相対位置の概略構造図を例示的に示す。
【図５】ケーブリング管理システムにおける第１の通信ユニット及びケーブルコネクタが両方とも本発明の一実施形態に係る配線フレームワーク内に取り付けられるシナリオを示す概略構造図を例示的に示す。
【図６】制御モジュールが、本発明の一実施形態に係るケーブリング管理システムにおける配線フレームワーク内に取り付けられていないシナリオを示す概略構造図を例示的に示す。
【図７】制御モジュールが、本発明の一実施形態に係るケーブリング管理システムにおける配線フレームワーク内に取り付けられているシナリオを示す概略構造図を例示的に示す。
【図８】本発明の一実施形態に係るケーブリング管理システムの全体アーキテクチャ図を例示的に示す。
【発明を実施するための形態】
【００３７】
本発明の特定の実施形態が以下において詳細に説明される。添付の図面に、特定の実施形態における実施例が示されている。同じ参照符号は同じ、又は類似の要素を示す。添付の図面を参照して説明される特定の実施形態は全て例示的なものであり、本発明を図解し、解説するように意図されているが、これにより、本発明に対する限定が生じると解釈されてはならない。
【００３８】
図１〜図８を参照すると、本発明の一実施形態は、ネットワークケーブリングに対して適用可能である、インテリジェントケーブリング管理システム、アップグレード可能配線フレームワーク、及び配線フレームワークに対して用いられるケーブルコネクタを提供する。
【００３９】
本発明の実施形態によれば、図１Ａ及び図１Ｂを参照すると、インテリジェントケーブリング管理システムは、配線フレームワーク１０２と、複数の第１の通信ユニット２０２と、複数の第２の通信ユニット４０１と、１つ以上の制御モジュール６０１とを備える。配線フレームワーク１０２は、ケーブルコネクタ２０３に接続されるように適合された複数のポート３０３を有し、ポート３０３の少なくとも一部分に対応して、ケーブルコネクタ２０３との対応するポート３０３の相互接続状態を指示するように適合されたインジケータ素子３０４（例えば、ＬＥＤインジケータ）が配線フレームワーク１０２上に配置されている。複数の第１の通信ユニット２０２は、対応するケーブルコネクタ２０３にそれぞれ取り外し可能に固定されており、ケーブルコネクタ２０３がポート３０３内に挿入されると、第１の通信ユニット２０２がポート３０３の外部に位置付けられるように構成されている。ポート３０３の少なくとも一部分には、対応する第２の通信ユニット４０１がそれぞれ設けられており、第２の通信ユニット４０１及び対応する第１の通信ユニット２０２は、非接触方式で互いに通信するように構成されている。理想的状況下においては、設けられる第２の通信ユニット４０１の数は配線フレーム１０２上のポート３０３の数と同じであってもよい。具体的には、ポート３０３の各々が第２の通信ユニット４０１に対応する（例えば、図５〜図７参照）。制御モジュール６０１は、第１の通信ユニット２０２と第２の通信ユニット４０１との少なくとも一部分の間の通信を制御し、読み取り、書き込むように構成されている。本発明の諸実施形態に係るインテリジェントケーブリング管理システムでは、配線フレームワーク１０２に、通信ユニット（例えば、以下の実施形態において説明される第１の通信ユニット２０２及び第２の通信ユニット４０１）、並びに実際の必要に従って通信ユニット間の通信を制御するように構成された制御モジュール６０２が設けられてもよい。
【００４０】
図１Ａ及び図１Ｂに示されるように、ポート３０３の少なくとも一部分に対応して、取り付け開口部３０１が配線フレームワーク１０２上に配置されている。具体的には、取り付け開口部３０１はポート３０３の下方部分又は上方部分に配置されていてもよく、ポート３０３から特定の距離をおいて離間配置されていてもよい。例えば、図１Ａ及び図１Ｂに示されるとおりの特定の実施形態では、取り付け開口部３０１はポート３０３の下方部分に配置されている。
【００４１】
図２Ａ〜図２Ｂ、及び図３Ａ〜図３Ｃに示されるように、ケーブルコネクタ２０３にジャケット２０１が提供される。ジャケット２０１はケーブルコネクタ２０３に取り外し可能に固定されており、第１の通信ユニットはジャケット２０１の底部プレート２０１４に固定されており、底部プレート２０１４は、対応するポートにおける取り付け開口部３０１を貫通する。
【００４２】
例えば、図３Ａ〜図３Ｃに示されるように、ジャケット２０１は受容構造体２０１１を備えてもよく、受容構造体２０１１は、ケーブルコネクタ２０３が受容構造体２０１１の内部に少なくとも部分的に受容されるように構成されていてもよい。受容構造体２０１１は、ケーブルコネクタ２０３が受容構造体２０１１内に少なくとも部分的に受容されるように、ケーブルコネクタの異なる形状に適合する異なる形状に設計されてもよい。例えば、図３Ａ及び図３Ｂに示されるとおりの受容構造体２０１１は、図３Ｃに示されるとおりの受容構造体２０１１と異なる形状を採用している。加えて、図３Ａ〜図３Ｃに示されるように、配線フレームワークに接続された複数のケーブル２０４の管理及び区別を容易にするために、両端部においてケーブルコネクタ２０３を有するケーブル２０４に対して、１対の取り外し可能に接続されたジャケット２０１が提供されており、１対のジャケット２０１に、互いに嵌合する１対の第１の通信ユニット２０２がそれぞれ設けられている。１対のジャケット２０１は任意の好適な機械的構造体を介して互いに取り外し可能に接続されてもよい。例えば、図３Ａ〜図３Ｃに示されるとおりの実施形態では、１対のジャケット２０１のうちの一方に、１対のジャケット２０１のうちの他方の柱状部分２０１２及び／又は柱状開口部２０１３内に挿入可能である柱状開口部２０１３及び／又は柱状部分２０１２が設けられている。具体的には、１対のジャケット２０１は、柱状開口部２０１３と柱状部分２０１２との間の嵌合を介して互いに取り外し可能に接続されてもよい。
【００４３】
本発明のいくつかの特定の実施形態によれば、図２Ａ〜図２Ｂ及び図４に示されるように、インテリジェントケーブリング管理システムにおいて、第１の通信ユニット２０２は無線周波数識別タグであり、第２の通信ユニット４０１は無線周波数識別アンテナであり、無線周波数識別タグ２０２及び無線周波数識別アンテナ４０１は無線周波数技術を介して互いに通信する。
【００４４】
図面に示されるとおりの特定の実施形態では、第１の通信ユニット２０２（無線周波数識別タグ）はジャケット２０１を介してケーブルコネクタ２０３上に配置されている（図２Ａ及び図２Ｂ参照）。したがって、ケーブルコネクタ２０３が配線フレームワーク１０２上のポート３０３内に挿入されると、第１の通信ユニット２０２（無線周波数識別タグ）は配線フレームワーク１０２上の取り付け開口部３０１内に同時に取り付けられる。この場合には、第１の通信ユニット２０２（無線周波数識別タグ）は、ケーブルコネクタ２０３に対応する金属アダプタ４０２の外部に配置される。このように、たとえ、金属アダプタ４０２が用いられていても、第１の通信ユニット２０２（無線周波数識別タグ）は金属アダプタ４０２の外部に配置されるため、通信ユニット２０２からの無線周波数信号は金属アダプタ４０２によって遮蔽されなくなり得る。
【００４５】
加えて、図２Ａ及び図２Ｂ並びに図４に示されるように、第１の通信ユニット２０２（無線周波数識別タグ）がジャケット２０１上に配置されているため、第１の通信ユニット２０２（無線周波数識別タグ）は、ケーブル２０４及びケーブルコネクタ２０３をポート３０３から取り外すことなく、ケーブルコネクタ２０３内に便利に取り付けることができる。いくつかの実施形態では、図４に示されるように、無線周波数信号を増強するために、フェライト材料で作製された信号増強素子４０３が第２の通信ユニット４０１（無線周波数識別アンテナ）の下方部分に追加的に配置されてもよい。このようにして、第２の通信ユニット４０１（無線周波数識別アンテナ）の読み取り−書き込み距離を増大させることが可能であり、それゆえ、金属アダプタ４０２によって無線周波数信号に対して生じる影響を低減させることが可能である。
【００４６】
図６及び図７に示されるように、インテリジェントケーブリング管理システムにおいて、制御モジュール６０１は読み取り−書き込み回路６０４及び制御回路６０５を備える。読み取り−書き込み回路６０４は、複数の第２の通信ユニット４０１に接続されており、第１の通信ユニット２０２から情報を読み取り、及び／又は第１の通信ユニット２０２内に情報を書き込むように構成されている。制御回路６０５は、読み取り−書き込み回路６０４に接続されており、第２の通信ユニット４０１と第１の通信ユニット２０２との間の通信を制御し、第１の通信ユニット２０２のための読み取り−書き込み回路６０４による情報の読み取り及び書き込みを制御するように構成されている。それゆえ、上述されたように、制御モジュール６０１は、第１の通信ユニット２０２と第２の通信ユニット４０１との間の通信を制御し、読み取り、書き込むように構成されている。加えて、制御回路６０５は、インジケータ素子３０４の有効化及び無効化を制御するように更に構成されていてもよく、これにより、現場の作業員に対して実務を容易にする。
【００４７】
更に、上述のケーブリング管理システムは制御ユニット１０１を更に備える。制御ユニット１０１は制御モジュール６０１と通信し、制御モジュール６０１の管理を実行するように構成されている。制御モジュール６０１の管理を実行することに加えて、制御ユニット１０１は、配線フレームワーク１０２の管理を実行するように更に構成されている。例えば、制御ユニット１０１は、配線フレームワーク１０２上のインジケータ素子３０４及び制御モジュール６０１に対して電力を供給するように構成されていてもよい。
【００４８】
本発明の実施形態において提供されるインテリジェントケーブリング管理システムによれば、制御モジュール６０１及び第２の通信ユニット４０１は配線フレームワーク１０２に取り外し可能に固定されている。いくつかの特定の実施形態では、制御モジュール６０１及び第２の通信ユニット４０１は取り付けプレート６００上に配置されており、取り付けプレート６００は配線フレームワーク１０２に取り外し可能に固定されている。
【００４９】
本発明の実施形態において提供されるインテリジェントケーブリング管理システムによれば、必要な場合には、第２の通信ユニット４０１（無線周波数識別アンテナ）、読み取り−書き込み回路６０４、及び制御回路６０５が配置されている制御モジュール６０１が、配線フレームワーク１０２上に機械的に取り外し可能に取り付けられてもよい。例えば、図６及び図７に示されるとおりの実施形態では、制御モジュール６０１は、締め金又はねじなどの固定部材６０２を介して配線フレームワーク１０２上に便利に取り付けられる。上述の設計を通じて、制御モジュール６０１は機械的構造の点から配線フレームワーク１０２とは独立に配置されており、本発明に係るアップグレード可能配線フレームワーク１０２のための設計基礎を規定し得る。
【００５０】
図８を参照すると、本発明の実施形態において提供されるネットワークケーブリングにおいて用いるためのインテリジェントケーブリング管理システムでは、上述のインテリジェント制御ユニット１０１及び配線フレームワーク１０２に加えて、システムは中央管理ユニット１０４を更に備えてもよい。中央管理ユニット１０４は、制御ユニット１０１をイーサネット（登録商標）１０５などのネットワーク通信方式で制御するように構成されており、人間−コンピュータ対話機能を有する。例えば、中央管理ユニット１０４は、インテリジェント制御ユニット１０１に対する命令情報の送信を担当する。その一方で、インテリジェント制御ユニット１０１はケーブル１０３を介して配線フレームワーク１０２に接続されており、命令情報に従う配線フレームワーク１０２の管理の実行を担当する。図８に示されるように、インテリジェント制御ユニット１０１は複数の配線フレームワーク１０２に同時に接続されており、これらの配線フレームワーク１０２を管理してもよい。
【００５１】
加えて、本発明の一実施形態はアップグレード可能配線フレームワーク１０２を更に提供する。図１Ａ及び図１Ｂに示されるように、配線フレームワーク１０２は、ケーブルコネクタ２０３に接続されるように適合された複数のポート３０３を有し、ポート３０３に対応して、取り付け開口部３０１、及びケーブルコネクタ２０３との対応するポート３０３の相互接続状態を指示するように適合されたインジケータ素子３０４（例えば、ＬＥＤインジケータ）が配線フレームワーク１０２上に配置されている。具体的には、取り付け開口部３０１はポート３０３の下方部分又は上方部分に配置されていてもよく、ポート３０３から特定の距離をおいて離間配置されていてもよい。取り付け開口部３０１は、対応するポート３０３のジャケット２０１に対応し、第１の通信ユニット２０２（例えば、図面に示されるとおりの実施形態における無線周波数識別タグ）を有する構造体の一部分を、取り付け開口部３０１を貫通させるように適合されて、第１の通信ユニット２０２はポート３０３の外部に位置付けられる。このように、第１の通信ユニット２０２（無線周波数識別タグ）は、ケーブルコネクタ２０３に対応する金属アダプタ４０２の外部に配置される。
【００５２】
図６及び図７に示されるように、配線フレームワーク１０２は、取り付けプレート６００、並びに取り付けプレート６００上に取り付けられた複数の第２の通信ユニット４０１（図面に示されるとおりの実施形態における無線周波数アンテナ）及び１つ以上の制御モジュール６０１を更に備えてもよく、取り付けプレート６００は配線フレームワーク１０２に取り外し可能に固定される。第２の通信ユニット４０１の少なくとも一部分はポート３０３のうちの１つにそれぞれ対応し、第２の通信ユニット４０１（無線周波数識別アンテナ）及び対応する第１の通信ユニット２０２（無線周波数識別タグ）は、非接触方式で互いに通信するように構成されており、制御モジュール６０１は、第１の通信ユニット２０２と第２の通信ユニット４０１との少なくとも一部分の間の通信を制御し、読み取り、書き込むように構成されている。
【００５３】
第２の通信ユニット４０１（無線周波数識別アンテナ）は制御モジュール６０１上に配置されており、第１の通信ユニット２０２（無線周波数識別タグ）の各々及び対応する第２の通信ユニット４０１（無線周波数識別アンテナ）は非接触方式（本実施形態では無線周波数技術）で互いに通信する。読み取り−書き込み回路６０４は、複数の第２の通信ユニット４０１（無線周波数識別アンテナ）に接続されており、第１の通信ユニット２０２（無線周波数識別タグ）から情報を読み取り、及び／又は第１の通信ユニット２０２（無線周波数識別タグ）内に情報を書き込むように構成されている。制御回路６０５は、第２の通信ユニット４０１（無線周波数識別アンテナ）と第１の通信ユニット２０２（無線周波数識別タグ）との間の通信を制御し、第２の通信ユニット４０１（無線周波数識別アンテナ）のための読み取り−書き込み回路６０４による情報の読み取り及び書き込みを制御するように構成されている。
【００５４】
好ましくは、本発明の実施形態において提供されるアップグレード可能配線フレームワーク１０２では、制御回路６０５は、インジケータ素子３０４（本実施形態ではＬＥＤインジケータ）の有効化及び無効化を制御するように更に構成されていてもよく、これにより、現場の作業員に対して実務を容易にする。
【００５５】
好ましくは、本発明の実施形態上に提供されるアップグレード可能配線フレームワーク１０２では、図４に示されるように、無線周波数信号を増強するために、フェライト材料で作製された信号増強素子４０３が第２の通信ユニット４０１（無線周波数識別アンテナ）の下方部分に追加的に配置されてもよい。このようにして、第２の通信ユニット４０１（無線周波数識別アンテナ）の読み取り−書き込み距離を増大させることが可能であり、それゆえ、金属アダプタ４０２によって無線周波数信号に対して生じる影響を低減させることが可能である。
【００５６】
アップグレード可能配線フレームワーク１０２のその他の説明及び概論については、以上においてインテリジェントケーブリング管理システムについて与えられた詳細な説明及び例示が参照されてもよく、これらの説明及び例示は本明細書においてこれ以上説明されない。
【００５７】
加えて、図２Ａ〜図２Ｂ及び図３Ａ〜図３Ｃに示されるように、本発明の一実施形態は、上述のアップグレード可能配線フレームワーク１０２において用いるためのケーブルコネクタ２０３を提供する。ケーブルコネクタ２０３は本体及びジャケット２０１を備える。本体は、データ通信を実施するために配線フレームワーク上のポート３０３と通信するように構成されており、ジャケット２０１はケーブルコネクタ２０３の本体上に取り外し可能に取り付けられている。具体的には、ジャケット２０１は、受容構造体２０１１、及び受容構造体２０１１と平行に配置された底部プレート２０１４を備え、受容構造体２０１１は、ケーブルコネクタ２０３の本体を受容構造体内に少なくとも部分的に受容するように構成されている。加えて、底部プレート２０１４に、第１の通信ユニット２０２（図面に示されるとおりの実施形態では、無線周波数識別タグ）が設けられている。上述されたように、両端部においてケーブルコネクタ２０３を有するケーブル２０４に対して、１対の取り外し可能に接続されたジャケット２０１が設けられており、１対のジャケット２０１に、互いに嵌合する対の第１の通信ユニット２０２（無線周波数識別タグ）がそれぞれ設けられている。例えば、１対のジャケット２０１のうちの一方に、１対のジャケット２０１のうちの他方の柱状部分２０１２及び／又は柱状開口部２０１３内に挿入可能である柱状開口部２０１３及び／又は柱状部分２０１２が設けられている。ケーブルコネクタ２０３のその他の説明及び概論については、以上においてインテリジェントケーブリング管理システム及びアップグレード可能配線フレームワークについて与えられた詳細な説明及び例示が参照されてもよく、これらの説明及び例示は本明細書においてこれ以上説明されない。
【００５８】
上述のことから分かるように、本発明の実施形態において提供されるアップグレード可能配線フレームワーク、及びそれに対して用いられるケーブルコネクタによれば、ユーザがケーブリングシステムの初期設置時に予算又は技術概念などの要因によって完全なインテリジェントケーブリング管理システムを採用しない場合には、ユーザは、一般のケーブル２０４及びそれらのケーブルコネクタ２０３、並びに、本発明の諸実施形態において提供されるインジケータ素子３０４及び取り付け開口部３０１を有する配線フレームワーク１０２を用い、従来のケーブリング管理を実施することができる。これはユーザに対してコストを効果的に低減し得る。インテリジェントケーブリング管理システムが将来において所望された場合には、ユーザは、第１の通信ユニット２０２（無線周波数識別タグ）を有するジャケット２０１を、配線フレームワーク１０２に接続されたケーブルコネクタ２０３に取り付け、それと同時に、第２の通信ユニット４０１（無線周波数アンテナ）、読み取り−書き込み回路６０４、及び制御回路６０５を有する制御モジュール６０１を、固定部材６０２を介して配線フレームワーク１０２に固定して取り付けるだけでよい。それゆえ、ユーザは、ネットワーク接続の中断を生じさせることなく、配線フレームワーク１０２のアップグレードを実施し得る。加えて、管理及び制御は、周辺インテリジェント制御ユニット１０１及び中央管理ユニット１０４を用いることによって実施されてもよい。このように、従来の配線フレームワークは、本発明の実施形態に係るインテリジェントケーブリング管理システムへと、便利に、迅速に、確実に、且つ安定的にアップグレードされ得る。加えて、第２の通信ユニット４０１（無線周波数識別タグ）が金属アダプタ４０２の外部に配置されているため、無線周波数信号は金属アダプタ４０２によって遮蔽されなくなり得る。更に、実際の必要に従って、無線周波数識別アンテナ４０１の読み取り−書き込み距離を増大させ、金属アダプタによって無線周波数信号に対して生じる影響を低減するために、フェライト材料で作製された信号増強素子が第２の通信ユニット４０１（無線周波数識別アンテナ）又は第１の通信ユニット２０２（無線周波数識別タグ）上に追加的に配置されてもよい。
【００５９】
したがって、本発明の諸実施形態において提供されるインテリジェントケーブリング管理システムは、紙の文書を必要とすることなく大量のデータ処理を実行する能力を有し、それゆえ、人間の間違いの発生率、及び作業量を効果的に低減する。加えて、本発明において提供されるインテリジェントケーブリング管理システムはポートの状態を更に監視し、ポートの使用率についての統計値を収集してもよく、これにより、ポートを十分活用する。無許可の動作又は例外的な動作を検出した場合には、システムは、例外を禁止するための警告を生成してもよい。
【００６０】
本発明の上述の特定の実施形態は単に本発明の原理及び効果を例示的に説明しているにすぎず、本発明を限定することを意図されていない。当業者は、本発明の趣旨及び範囲から逸脱することなく本発明に対してなされる任意の変形及び改善は全て本発明の範囲内に含まれることを理解するべきである。本発明の保護範囲は本発明の添付の請求項によって定義されるべきである。
【図１Ａ】
0006390023.tif 000002
【図１Ｂ】
0006390023.tif 000003
【図２Ａ】
0006390023.tif 000004
【図２Ｂ】
0006390023.tif 000005
【図３Ａ】
0006390023.tif 000006
【図３Ｂ】
0006390023.tif 000007
【図３Ｃ】
0006390023.tif 000008
【図４】
0006390023.tif 000009
【図５】
0006390023.tif 000010
【図６】
0006390023.tif 000011
【図７】
0006390023.tif 000012
【図８】
0006390023.tif 000013